(57)【要約】      （修正有）【課題】身長や姿勢に関わらず、不審物をもった人物が検知器を通過した場合、その画像を撮影できる検知器を提供する。【解決手段】ゲート１１０と、ゲート１１０を通過する人物を画像化するためのイメージキャプチャデバイス１２０とを有する検知器１００を用いた人物検査方法であって、前記人物Ｐがゲート１１０を通過したときに、前記人物Ｐを画像化するステップと、前記イメージキャプチャデバイス１２０によって取得した画像をバッファするステップと、不審物Ｓを検知するステップと備え、前記不審物Ｓを検知するステップでは、前記不審物Ｓの検知前から検知後までの時間間隔の間にバッファされた画像の中から関連画像を自動記録し、検知ステップの間に、前記関連画像と前記不審物Ｓに対応したデータとを自動でマッチングさせ、これらをともに単一出力でオペレータに送信する。【選択図】図３
2012014694.tif 000002
【特許請求の範囲】
【請求項１】
ゲート（１１０）と、ゲート（１１０）を通過する人物を画像化するためのイメージキャプチャデバイス（１２０）とを有する検知器（１００）を用いた人物検査方法であって、
前記人物（Ｐ）がゲート（１１０）を通過したときに、前記人物（Ｐ）を画像化するステップと、
前記イメージキャプチャデバイス（１２０）によって取得した画像をバッファするステップと、
不審物（Ｓ）を検知するステップと備え、
前記不審物（Ｓ）を検知するステップでは、前記不審物（Ｓ）の検知前から検知後までの時間間隔の間にバッファされた画像の中から関連画像を自動記録し、検知ステップの間に、前記関連画像と前記不審物（Ｓ）に対応したデータとを自動でマッチングさせ、これらをともに単一出力でオペレータに送信することを特徴とする検知器を用いた人物検査方法。
【請求項２】
前記関連画像および前記データのマッチングは、リアルタイムで実行されることを特徴とする請求項１に記載の検知器を用いた人物検査方法。
【請求項３】
前記画像をバッファするステップは、少なくとも前記時間間隔に対応した所定時間の間実行され、
前記人物検査方法は、不審物が検知されなかった場合、新しい画像に置き換えるために、前記所定時間が終了したら前記バッファされた画像を自動で消去するステップをさらに備えることを特徴とする請求項１または２に記載の検知器を用いた人物検査方法。
【請求項４】
前記時間間隔は、前記検知ステップ直前の少なくとも３秒間であることを特徴とする請求項１乃至３のいずれかに記載の検知器を用いた人物検査方法。
【請求項５】
請求項１乃至４のいずれかに記載される、人物を検査する検知器であって、
ゲート（１１０）と、２つの垂直な側壁（１１１、１１２）と、前記側壁（１１１、１１２）の上部に接続される上部構造（１１３）と、イメージキャプチャデバイス（１２０）と、
前記不審物（Ｓ）の検知前から検知後までの時間間隔の間に、前記イメージキャプチャデバイスで取得した関連画像を記録するように構成されたメモリとを備えることを特徴とする人物を検査する検知器。
【請求項６】
前記イメージキャプチャデバイス（１２０）は、前記検知器（１００）の２つの対向する前記側壁（１１１、１１２）の間に架けて広がる、検知器（１００）の横中央断面から所定距離だけ離れて前記ゲート（１１０）に固定されていることを特徴とする請求項５に記載の検知器。
【請求項７】
前記イメージキャプチャデバイス（１２０）は、前記ゲート（１１０）から該ゲート（１１０）の外側に向けて前方に延びるアーム（１２１）に固定されていることを特徴とする請求項６に記載の検知器。
【請求項８】
金属センサと、
爆発物の存在を検知するように構成されたセンサと、
特定物質の存在を検知するように構成されたセンサと、
電離放射線を検知するように構成されたセンサとのうち少なくともいずれかのセンサをさらに備えることを特徴とする請求項５乃至７のいずれかに記載の検知器。
【発明の詳細な説明】
【技術分野】
【０００１】
本発明は、金属探知機等のように、人の出入りを管理する制限エリア内において、不審物を検知するため、およびを検知器を通過する人物の画像を撮像するために用いられる検知器の技術に関する。
【背景技術】
【０００２】
従来から、上記のような検知器が知られている。例えば、欧州特許出願第１７５０１４７号には、２つの楕円形状の竪型ハウジングを含むゲート形状を有する検知器の例が開示されている。この検知器は、前記竪型ハウジングの上部が接続された構造を有し、前記ハウジングに取り付けられた電気コイルを給放電を行うようになっている。
【０００３】
図１および図２に示すように、検知器１は、ゲート１０を通過する人物を撮影するように構成されたカメラ２０をさらに備える。カメラ２０は、人物Ｐが検知器１を通過するときに人物Ｐを上方から正確に捉えるために、通常、ゲート１０の上部構造１３の中央に配置される。カメラ２０の支持体としてゲート１０を利用することで、人物Ｐはハウジングの側部１１、１２により規定される制限スペースを通り抜けなければならないため、撮影される人物のフレーミングを正確に行うことができる。
【０００４】
カメラ２０は、検知器１が何かを検知すると作動し、検知器を作動させた人物の画像を瞬時に記録する。
しかしながら、このタイプの検知器は、作動させた人物を見逃したり、人物の形態、すなわちゲート通過時の姿勢や、人が素早く通過するという理由から使用可能な画像を撮影できないことがある。これに加えて、カメラに使用されているレンズに関わらず、人物の体の上部のみしか撮影できないということもある。
【先行技術文献】
【特許文献】
【０００５】
【特許文献１】欧州特許出願第１７５０１４７号
【発明の概要】
【発明が解決しようとする課題】
【０００６】
近年、オペレータの監視下になくても使用可能な検知器、例えば、検知器が人目につかないところに位置し、身長や姿勢（体を曲げている、膝をついている等）に関わらず、不審物をもった人物が検知器を通過した場合、その画像を撮影できる検知器が求められている。
【課題を解決するための手段】
【０００７】
上記した目的を達成するために、本発明に係る検知器を用いた人物検査方法は、ゲートと、ゲートを通過する人物を画像化するためのイメージキャプチャデバイスとを有する検知器を用いた人物検査方法であって、前記人物がゲートを通過したときに、前記人物を画像化するステップと、前記イメージキャプチャデバイスによって取得した画像をバッファするステップと、不審物を検知するステップと備え、前記不審物を検知するステップでは、前記不審物の検知前から検知後までの時間間隔の間にバッファされた画像の中から関連画像を自動記録し、検知ステップの間に、前記関連画像と前記不審物に対応したデータとを自動でマッチングさせ、これらをともに単一出力でオペレータに送信することを特徴とする。
【０００８】
本発明によれば、オペレータが、不審物を査定しながら、検知器を設定した人物を迅速に且つ明瞭に識別可能なように、関連画像を自動で記録でき、不審物に対応するデータとともにオペレータにこれらの画像を提示できるので、検知現場でのオペレータの介入や存在を不要とすることができる。
さらに、画像をバッファするステップでは、不審物を持つ人物をより正確に識別可能である。さらにまた、全ての情報を含む単一出力は、オペレータにとってコスト削減および時間削減が可能となる。なお、オペレータは、これ以上、検知器によって提供される様々なデータを適合する必要がない。したがって、オペレータによるデータのマッチングミスを防ぐことができる。
【０００９】
以下に、本発明の方法における好ましい他の態様を示す。ただし、本発明の方法はこれらの態様に限定されるものではない。
前記関連画像および前記データのマッチングは、リアルタイムで実行されるようにしてもよい。
前記画像をバッファするステップは、少なくとも前記時間間隔に対応した所定時間の間実行され、前記人物検査方法は、不審物が検知されなかった場合、新しい画像に置き換えるために、前記所定時間が終了したら前記バッファされた画像を自動で消去するステップをさらに備えるようにしてもよい。
前記時間間隔は、前記検知ステップ直前の少なくとも３秒間であることが好ましい。
【００１０】
本発明の第２の態様は、人物を検査する検知器であって、ゲートと、２つの垂直な側壁と、前記側壁の上部に接続される上部構造と、イメージキャプチャデバイスと、前記不審物の検知前から検知後までの時間間隔の間に、前記イメージキャプチャデバイスで取得した関連画像を記録するように構成されたメモリとを備えることを特徴とする。
【００１１】
以下に、本発明の検知器における好ましい他の態様を示す。ただし、本発明の検知器はこれらの態様に限定されるものではない。
前記イメージキャプチャデバイスは、前記検知器の２つの対向する前記側壁の間に架けて広がる、検知器の横中央断面から所定距離だけ離れて前記ゲートに固定されていてもよい。
前記イメージキャプチャデバイスは、前記ゲートから該ゲートの外側に向けて前方に延びるアームに固定されていてもよい。
金属センサと、爆発物の存在を検知するように構成されたセンサと、特定物質の存在を検知するように構成されたセンサと、電離放射線を検知するように構成されたセンサとのうち少なくともいずれかのセンサをさらに備えるようにしてもよい。
【図面の簡単な説明】
【００１２】
【図１】従来技術に係る検知器を示す側面図である。
【図２】図２の検知器の正面図である。
【図３】本発明の第１実施形態に係る検知器を示す透視図である。
【図４】本発明の第２実施形態に係る検知器を示す側面図である。
【図５】本発明の実施形態に係り、移動中の人物の検査方法を説明するフローチャートである。
【発明を実施するための形態】
【００１３】
以下、添付図面に従って本発明の実施形態について説明する。ただし、この実施形態に記載されている構成部品の寸法、材質、形状、その相対的配置等は、特定的な記載がない限り本発明の範囲をこれに限定する趣旨ではなく、単なる説明例にすぎない。
【００１４】
この方法では、例えば欧州特許出願第１７５０１４７号に開示されるような従来技術の検知器、あるいは、図３および図４に関連して、以下に記載される検知器１００を用いることができ、検知器を通過する人物の画像を提供することによって、人物の識別を簡易化および改善する。
【００１５】
検知器は、ゲート１１０と、イメージキャプチャデバイス１２０とを有する。本実施形態において、ゲート１１０は、互いに並行に設けられた２つの垂直な側壁１１１、１１２と、それらの間に配設される上部構造１１３とから構成することができる。この側壁１１１、１１２には、複数のセンサが取り付けられている。センサとしては、例えば、金属センサ、爆発物の存在を検知するように構成されたセンサ、薬物等の特定物質の存在を検知するように構成されたセンサ、電離放射線を検知するように構成されたセンサの少なくともいずれかを用いてもよい。
【００１６】
イメージキャプチャデバイス１２０には、写真の撮影または動画の撮影を行うカメラを用いることができる。
検知器１００は、カメラ１２０が写真を撮影している間（図５のステップ１５０を参照）に、不審物Ｓを探す。撮影した写真は、連続的に一時バッファに蓄積される（ステップ１５２）。
【００１７】
人物Ｐがゲートを通過するとき、検知器１００は、金属物質、爆発物、薬物等の特定物質などの不審物を感知するか、または何も感知しない。
検知器が少なくとも一つの不審物Ｓを感知した場合（ステップ１５４）、不審物Ｓの検知前から検知後までの時間間隔の間に、カメラ１２０で撮影された関連画像の記録を行う（ステップ１５８）。
【００１８】
ここで、前記時間間隔は、例えば、検知動作直前の少なくとも３秒間、および、検知動作後の１秒間から１０秒間としてもよい。
この目的のために、本発明の一実施形態において、検知器１００は、少なくとも前記関連画像を一時的に保存するメモリと、検知ステップの間に、関連画像および検知された不審物Ｓに対応するデータを自動的に記録し、オペレータへ送信する処理ユニットとを有する。
【００１９】
前記データは、ゲート１０の各センサによって収集される情報であってもよいし、単に、検知された不審物Ｓに関連した関連情報であってもよい。
前記メモリは、バッファとして用いられるとともに、繰り返し利用可能に構成され、カメラ１２０で撮影された画像を一時的に保存する。そして、保存された過去の一時画像で不審物Ｓが検知されない場合は、漸次、過去の画像を消去する。このようにして、前の格納場所に新しい写真を格納していくことによって他の画像を自動的に消去している間、不審物Ｓの検知に対応した関連画像のみを専用のメモリに保存し、記録する。例えば、検知器１００が、ゲート１０を通過する人物Ｐの持つ金属を検知した場合、最後の１０秒間の間にメモリに格納された画像は、次の１０秒間で撮影される画像および検知情報とともに保存される。
【００２０】
専用メモリは、検知器１００自体に組み込むことができる。また別の構成として、専用メモリは、オペレータのコンピュータ内のように、検知器１００の外部に設けてもよい。
いずれにしても、不審物Ｓに関するデータは、検知ステップの間に検出され、コスト削減および時間短縮のために、記録画像は単一出力でオペレータに送信された後、オペレータに提示される。
【００２１】
この検知器が、撮影された画像を単に記録するだけのものであれば、従来技術と同様に、オペレータは、不審物Ｓを持つ人物の画像であることに気づかないであろう。例えば、人物の左の靴の中に不審物Ｓが隠されており、人物が右足を前にしてゲートを歩いて通り抜ける場合、左足がセンサ近くのゲート内側にあるとき検知が行われる。これは、関連画像を撮影するには遅すぎる。逆に、本発明のように、検知前から検知後までの所定の時間間隔の間中、画像を記録することによって、どちらの足が前に出ていても人物の画像を良好に取得することが可能となる。
一方、検知器１００が不審物Ｓを検知しなかった場合、オペレータにとって画像は不要であるため、このような場合画像は記録されない。
【００２２】
本発明の第２実施形態においては、画像は全て、例えば２４時間のような長期間、メモリに格納される。そして、不審物Ｓの検知に関する画像の選択が、後で自動的に実行される。このとき、例えば、検知システムおよびカメラ１２０のそれぞれに関係したクロックを用いることができる。しかし、どのような場合であっても、検知器１００のデータに関係して選択される画像は、検知前から検知後までの時間間隔に対応している。
【００２３】
処理ユニットは、不審物Ｓを検知したときに、カメラ１２０の焦点を合わせたり、視野を広げたりするためにカメラ１２０の動きを制御する。
さらにまた、検知データおよび記録画像は、リアルタイム若しくは次のステップにて、オペレータによってさらなる処理を行うために、自動的にマッチングされるようにしてもよい。
最後に、本発明の検知器１００は、方位センサを有していてもよい。例えば、ゲートを通過する人物の移動方向を測定するためのインライン光学ビームと制御論理手段とを有していてもよい。これにより、ゲートの出口から入口に向かって間違った方向に進む人の画像を記録しないような処理ユニットとすることができる。
【００２４】
次に、本発明に係る検知器１００についてさらに記載する。これは、上記したように移動する人物の検査方法に用いられる。
図３および図４には、本発明に係る検知器１００の２つの実施形態を示している。
検知器１００は、通常、空港において商業地区のような公共区域等の入口および／または出口を通過する人物Ｐの検査に用いられる。
【００２５】
この検知器１００は、ゲート１１０およびイメージキャプチャデバイス１２０を有している。上述したように、本実施形態によれば、ゲート１１０は、互いに並行に設けられた２つの垂直な側壁１１１、１１２と、それらの間に配設される上部構造１１３とから構成することができる。ゲート１１０は、空港の制限エリアの入り口や検問所等の目立つ場所に設置されたり、またはセキュリティのための検査であることを知らずに通過することがないように、植物や広告で隠された場所に設置されたりする。
【００２６】
側壁１１１、１１２は、上述した欧州特許出願第１７５０１４７号に開示される検知器のように、複数のセンサを収納している。例えば、側壁１１１、１１２は、金属センサ、爆発物の存在を検知するように構成されたセンサ、薬物等の特定物質の存在を検知するように構成されたセンサ、電離放射線を検知するように構成されたセンサの少なくともいずれかを含むようにしてもよい。
【００２７】
イメージキャプチャデバイス１２０には、写真の撮影または動画の撮影を行うカメラを用いることができる。このイメージキャプチャデバイス１２０は、ゲート１１０に固定されている間、ゲート１１０を通過する人物Ｐの画像を取得可能である。この目的のために、カメラ１２０は、検知器の２つの対向する壁１１１、１１２間に間に架けて広がる、検知器の横中央断面Ｍから所定距離だけ離れてゲート１１０に固定されている。ここで、断面Ｍは、人物Ｐの移動方向Ｔに対して横方向に広がるものである。
【００２８】
さらにまた、カメラ１２０は、ゲート１１０を通過する人物Ｐを追跡するようにしてもよいし、静止するようにしてもよい。
図３に示すように、第１の実施形態では、カメラ１２０がゲート１１０から所定距離だけ前方に位置し、ゲート１１０の内部空間を向くように、カメラ１２０はゲート１１０の上部構造１１３に固定されるアーム１２１の先端に取り付けられている。また別の構成として、カメラ１２０は、側壁１１１、１１２の一つから前方に延びたアームに取り付けられていてもよい。
好ましくは、アーム１２１は、ゲート１１０から実質的に水平に延びている。さらにまた、アーム１２１はゲート１１０の出口側に固定されていてもよい。
【００２９】
図４に示す第２実施形態では、ゲートの上部構造１１３の前方端（または出口側）がカメラ１２０の取り付けに十分な広さを持つように、ゲート１１０が幅広の通路となっている。したがって、ゲート１１０を通過する人物Ｐの広範囲な写真を撮影することが可能となる。
【００３０】
このような配置構造では、カメラのアングルショットＡは、従来技術（図１および図３）の場合より広くなり、人物Ｐの姿を大きく且つ完全に撮像することができる。人物Ｐの重要なパーツがカメラで撮影可能なように、アーム１２１の長さおよびカメラ１２０のレンズは最適化される。例えば、搭乗待合室の入口に検知器が配置、設定されるとき、検知される対象の位置を特定したり、少なくとも識別を目的とした人物の撮像画像を記録したりするために、人物Ｐの全身が映るようにカメラ１２０の位置合わせが行われる。
【００３１】
上述した実施形態によれば、検知器を他の場所に移動させた際に、ゲート１１０に対するカメラ１２０の調整を不要とするために、カメラ１２０とゲート１１０とを接続して一緒に移動可能な構成とすることが有利である。これによって、コストを削減可能であるとともに、同じ品質、フレーミングの人物画像を提供することができる。したがって、移動後の検知器によって送信される画像およびデータの処理が、オペレータにとって改良され、容易化する。
【００３２】
第３の実施形態では、カメラ１２０は、ゲート１１０から所定の距離および角度で配置され支持体に固定される。この支持体としては、天井、脚部、デスク等を用いることができる。カメラ１２０は、アングルショットＡがゲート１１０の全内部体積を含むように配置されることが好ましい。
【図１】
2012014694.tif 000003
【図２】
2012014694.tif 000004
【図３】
2012014694.tif 000005
【図４】
2012014694.tif 000006
【図５】
2012014694.tif 000007
【外国語明細書】
【発明の名称】      A METHOD FOR INSPECTING A PERSON
The invention
concerns the technical field of detectors, such as metal detectors, designed
for detecting non-authorized objects in a zone having protected access and for
taking pictures of people passing through the detectors.
Such types of
detectors are already known. For instance, the European patent application EP
1 750 147 discloses an example of such a detector in the form of a
gate comprising two oblong-shaped vertical housings, a structure connecting an
upper part of said vertical housings and emitting and receiving electrical
coils provided in said housings. 
As illustrated
in the enclosed figures 1 and 2, some detectors 1 can further comprise a camera
20 adapted to take pictures of the people passing through the gate 10. In that purpose, the camera 20 is usually located in the centre of the upper structure 13 of the
gate 10, so that it extends right above the person P when said person P is
passing through the detector 1. The use of the gate 10 as a support for the
camera 20 allows for a correct framing of the person who is pictured since said
person has to pass through a limited space defined by its lateral housings 11,
12. 
The camera 20 is
then activated when the detector 1 detects something, such as metal, and
instantaneously records pictures of the person who set off the detector.
Nevertheless,
this type of detector sometimes misses the person who set it off or does not
provide a usable picture because of the morphology of the person, his/her
posture while passing through the gate or because he/she passed too rapidly.
Furthermore, whatever the lens used for the camera, only the very upper part of
the person can be taken.
Nowadays, there
is a need for providing a detector which can be used without supervision by an
operator, for example when the detector is hidden, and capable of providing
pictures of persons having suspect items whatever their height or their posture
(bent, on their knees, etc.) when they pass through the detector.   
In that purpose,
the invention proposes a method for inspecting a person by using a detector,
the detector including a gate and an image capturing device for imaging the
person passing through the gate, the method comprising:
-      
imaging the person when said person is passing
through the gate, 
-      
buffering of images taken by the image capturing
device, and
-      
detecting a suspect item, 
wherein the
detection of a suspect item sets off an automatic recording of relevant images
among the buffered images corresponding to an interval of time starting before
the detection of the suspect item and ending after said detection , and wherein
the relevant images and the data corresponding to the suspect item detected
during the detection step are automatically matched and sent together to an
operator in a single output.
The method
therefore does not need the intervention nor the presence of an operator, since
it is capable of automatically recording the images which are relevant and
displaying them to the operator together with the data corresponding to the
suspect item, in order for the operator to be capable of rapidly and undoubtly
identify the person setting of the detector while simultaneously assessing the
suspected item.
In addition, the
buffering of the images allows for more accuracy in identifying the person
carrying the suspect item. In addition, the single output including all the
information saves cost and time for the operator (who does not need to match
the various data provided by the detector any longer), and prevents from any
mistake by the operator in the matching of the data.  
Some preferred
but non-limiting aspects of the method in accordance with the invention are the
following:
-              
the matching of the relevant images and the data
is implemented in real time;
-              
the buffering of the images is implemented
during a predetermined time corresponding at least to the interval of time, the
method further comprising an automatic erasure of said buffered images at the
end of said predetermined time if no suspect item is detected, in order to
replace them by new images; and
-              
the interval of time lasts at least three
seconds before the detection.
In accordance
with a second aspect, the invention proposes a detector for inspecting a person
in accordance with the method of the invention, comprising a gate including two
vertical walls  and an upper structure connecting the upper part of said
walls and an image capturing device, the detection further comprising a memory
adapted to record the relevant images taken by the image capturing device
during an interval of time starting before the detection of the suspect item
and ending after said detection in order to implement the method in accordance
to anyone of the preceding claims.
Some preferred
but non-limiting aspects of the detector in accordance with the invention are
the following:
-              
the image capturing device is fixed with respect
to the gate at a predetermined distance from a transverse median plane of the
detector extending between the two opposite walls of said detector;
-              
the image capturing device is fixed to an arm
which extends forward from the gate, on the exit side of said gate; and 
-              
the detector further comprises one of the
following sensors:
-              
a metal sensor,
-              
a sensor adapted to detect the presence of
explosive material,
-              
a sensor adapted to detect the presence of a
specific substance,
-              
a sensor adapted to detect ionizing radiations.
The foregoing
will be apparent from the following more particular description of example
embodiments of the invention, as illustrated in the accompanying drawings given
as non-limited examples, and in which:
Figure 1 shows
a side view of a detector in accordance with the prior art;
Figure 2 shows
a front view of the detector of Figure 1;
Figure 3 is a
perspective view of a detector in accordance with one embodiment of the
invention;
Figure 4 shows
a side view of a detector in accordance with a second embodiment of the
invention; and
Figure 5 is a
flow diagram of a method for inspecting people in transit in accordance with
the invention.
Figure 5
illustrates a method in accordance with the invention for inspecting people in
transit with a detector. 
In this method,
the detector can be conform to the prior art (for example the detector of EP
1 750 147), or can be conform to the detector 100 described in the
following with reference to Figures 3 and 4, in order to simplify and improve identification of the people by providing better images of the people P passing
through it. 
The detector
comprises a gate 110 and an image capturing device 120. In accordance with an embodiment, the gate 110 can be made of two vertical lateral walls 111,
112, parallel to each other, and an upper structure 113 extending therebetween.
The lateral walls 111, 112 can house a plurality of sensors, such as at least
one of a metal sensor, a sensor adapted to detect the presence of explosive
material, a sensor adapted to detect the presence of a specific substance
(drugs, etc.), or a sensor adapted to detect ionizing radiations.
The image
capturing device 120 can be a camera adapted to take pictures or make movies. 
The detector
100 searches for suspect items S while the camera 120 takes pictures (see step
150 of Figure 5), which are continuously provided to a temporary buffer (step 152).
When a person P
passes through the gate, the detector 100 can either sense a suspect item S,
such as something made of metal, an explosive material, a specific substance
(drug), etc. or sense nothing.
If the detector
100 senses at least one suspect item S (step 154), it thus sets off the
recording of the relevant images taken by the camera 120 during an interval of
time starting before the detection of the suspect item S and ending after said
detection (step 158). 
The time
interval can last for example from two to thirty seconds before the time of
detection, and from one to ten seconds after the detection. Preferably, the
time interval lasts about three to ten seconds before the time of detection,
and about three to ten seconds after the detection.
In that
purpose, and in accordance with one embodiment of an invention, the detector
100 further comprises a memory adapted to temporarily store at least said
relevant images, and a processing unit adapted to automatically record and send
relevant images and data corresponding to the suspect item S detected during
the detection step to an operator (step 160).
The data can
include all the information collected by every sensor of the gate 10, or only
the relevant information related to the suspect item S which was detected.
The memory is
used as a buffer and is adapted to cyclically and temporarily store the images
taken by the camera 120, and then progressively erase them if no suspect item S
is detected in relation with the older temporarily stored images. In that way,
only the relevant images, corresponding to the detection of a suspect item S,
are saved and recorded in a dedicated memory, while the others are
automatically erased by storing new pictures in place of the previous ones. For
example, if the detector 100 senses metal on the person P who is passing
through the gate 110, the images stored by the memory during the last ten
seconds are saved, as well as the images taken in the next ten seconds and the
data of the detection.
The dedicated
memory can be housed in the detector 100 itself. As an alternative, the
dedicated memory can be housed outside the detector 100, such as on a computer
of the operator. 
In any event,
the data corresponding to the suspect item S detected during the detection step
and the recorded images are sent in a single output to the operator, in order
to save costs and time, which is then displayed to the operator. 
If the
detection only implied the recording of the images taken subsequently, as in
the prior art, the operator would not be sure that the images represent the
person who passed through the gate with the suspect item S. For example, if the
suspect item S is located in the left shoe of the person, and if that person
walks through the gate with the right foot forward, the detection only takes
place when the left foot is brought inside the gate, close to the sensors. It
might be too late for taking a relevant picture. To the contrary, by recording
the images corresponding to a predetermined interval of time before the detection
time in accordance with the invention, we thus make sure that, whatever the
foot forward, we will have a good picture of the person. 
If the detector
100 does not sense any suspect item S, no images are recorded to the dedicated
memory since they would not be relevant for the operator.
In accordance
with a second embodiment of the invention, every image is stored in the memory
for a long period, such as twenty-four hours, and the selection of the images
corresponding to a detection of a suspect item S is automatically implemented
afterwards, for example by using a clock associated to each of the detection
system and the camera 120. But in any case, the selected images which are
associated to the data of the detector 1 correspond to a time interval starting
before the detection and ending afterwards.
The processing
unit can control the camera 120 so that, when a suspect item S is detected, the
camera 120 moves, focuses or to the contrary expands the view, etc.
Furthermore,
the detected data and the recorded images can be automatically matched together
for their further processing by the operator, in real time or in a subsequent
step.
Finally, the
detector 100 of the invention can further comprise a direction sensor,
comprising for example in-line optical beams and a control logic capable of
determining the transit direction of a person passing through the gate. It
becomes thus possible for the processing unit not to record images of people
who are transiting in a wrong direction from the exit towards the entrance of
the gate. 
In the
following, we will further describe the detector 100 in accordance with the invention, which can be used in the aforementioned method for inspecting
people in transit.
Figures 3 and 4
illustrate two embodiments of a detector 100 in accordance with the invention. 
The detector
100 is generally used for the inspection of people P in transit in an airport,
at the entrance and/or exit of a public area such as a commercial centre, etc. 
It comprises a
gate 110 and an image capturing device 120. As aforementioned, and in
accordance with an embodiment, the gate 110 can be made of two vertical lateral
walls 111, 112, parallel to each other, and an upper structure 113 extending
therebetween. The gate 110 can be visible, such as at the entrance of a
restricted area of an airport or a checking point, or hidden by some vegetation
or advertisements, so that the person passing through does not realize that
he/she is being checked for security reasons.
The lateral
walls 111, 112 can house a plurality of sensors, such as in the detector of the
aforementioned European patent application EP 1 750 147. For example, the
walls 111, 112 can include at least one of a metal sensor, a sensor adapted to
detect the presence of explosive material, a sensor adapted to detect the
presence of a specific substance (drugs, etc.), or a sensor adapted to detect
ionizing radiations.
The image
capturing device 120 can be a camera adapted to take pictures or make movies.
It is capable of imaging the people P who are passing through the gate 110,
while being fixed with respect to the gate 10. In that purpose, the camera 120 is fixed at a predetermined distance from a transverse median
plane M of the detector extending between the two opposite walls 111, 112 of
the detector, wherein the plane M extends transversely to the transit direction
T of the person P.  
Furthermore,
the camera 120 can follow the person P passing through the gate 110, or remain
stationary.
In accordance
with a first embodiment, as illustrated in figure 3, the camera 120 is mounted
to the end of an arm 121 which is fixed to the upper part 113 of the gate 110,
so that the camera 120 extends forward at a predetermined distance from the
gate 110 and points at the interior space of the gate 110. As an alternative,
the camera 120 is mounted to an arm extending forward from one of the lateral
walls 111, 112. 
Preferably, the
arm 121 extends substantially horizontally from the gate 110. Furthermore, it
can be fixed to the exit side of the gate 110. 
In accordance with
a second embodiment (see figure 4), the gate 110 is a wide corridor, so that
the upper structure 113 of the gate is wide enough to enable the mounting of
the camera 120 to a forward end (or exit side) of said structure 113, thereby
allowing the camera 120 to take wide pictures of the people P passing through
the gate 110.
In these
configurations, the angle shot A of the camera is wider than in the prior art
(see Figures 1 and 3) and allows a large and complete picturing of the person
P. The length of the arm 121 and the lens of the camera 120 are optimized so
that the important parts of the person P are framed by the camera 20. For
example, at the entrance of a boarding area, the camera 120 can be positioned
to that the person P is full-length pictured when he/she sets off the detector 100, in order to allow the localisation of the elements which where detected or at least record an
image of this person for identification purpose.
These
embodiments advantageously provide a detector 100 wherein the camera 120 and
the gate 110 are connected and jointly move, so that the displacement of the
detector 100 to another area does not require any subsequent adjustment of the
camera 120 with respect to the gate 110. It therefore saves costs and provides
images of the persons having the same quality, framing, and so on. The
subsequent processing of the images and data sent by the detector is thus
improved and facilitated to the operator. 
In accordance
with a third embodiment, the camera 120 is fixed to a support, distinct from
the gate, located at a predetermined distance and angle from the gate 110. This
support can be the ceiling, a leg, a desk, etc.
In any event,
the camera 120 is located so that its angle shot A covers more and less all the
internal volume of the gate 110.
【請求項１】
A method for
inspecting a person by using a detector (100), the detector (100) including a
gate (110) and an image capturing device (120) for imaging the person (P)
passing through the gate (110), the method comprising:
-              
imaging the person (P) when said person (P) is
passing through the gate (110), 
-              
buffering the images taken by the image
capturing device (120), and
-              
detecting a suspect item (S), 
wherein the
detection of a suspect item (S) sets off an automatic recording of relevant
images among the buffered images corresponding to an interval of time starting
before the detection of the suspect item (S) and ending after said detection,
and wherein the relevant images and the data corresponding to the suspect item
(S) detected during the detection step are automatically matched and sent
together to an operator in a single output.
【請求項２】
The method of
claim 1, wherein the matching of the relevant images and the data is
implemented in real time.
【請求項３】
The method of
anyone of claims 1 and 2, wherein the buffering of the images is implemented
during a predetermined time corresponding at least to the interval of time, the
method further comprising an automatic erasure of said buffered images at the
end of said predetermined time if no suspect item (S) is detected, in order to
replace them by new images.
【請求項４】
The method of
anyone of claims 1 to 3, wherein the interval of time lasts at least three
seconds before the detection.
【請求項５】
A detector (1)
for inspecting a person (P) in accordance with anyone of claims 1 to 4,
comprising a gate (110) including two vertical walls (111, 112) and an upper
structure (113) connecting the upper part of said walls (111, 112) and an image
capturing device (120),
characterized in
that it further comprises a memory adapted to record the relevant images taken
by the image capturing device during an interval of time starting before the
detection of the suspect item (S) and ending after said detection in order to
implement the method in accordance to anyone of the preceding claims.
【請求項６】
The detector (100) of claim 5, wherein the image capturing device (20) is
fixed with respect to the gate (110) at a predetermined distance from a
transverse median plane of the detector (100) extending between the two
opposite walls (111, 112) of said detector (100).
【請求項７】
The detector (1)
of claim 6, wherein the image capturing device (120) is fixed to an arm (121)
which extends forward from the gate (110), on the exit side of said gate (110).
【請求項８】
The detector (1)
of anyone of claims 5 to 7, further comprising one of the following sensors:
a metal sensor,
a sensor adapted
to detect the presence of explosive material,
a sensor adapted
to detect the presence of a specific substance,
a sensor adapted
to detect ionizing radiations.
The invention
concerns a method for inspecting a person by using a detector (100), the
detector (100) including a gate (110) and an image capturing device (120) for
imaging the person (P) passing through the gate (110), the method comprising:
-              
imaging the person (P) when said person (P) is
passing through the gate (110), 
-              
buffering the images taken by the image
capturing device (120), and
-              
detecting a suspect item (S), 
wherein the
detection of a suspect item (S) sets off an automatic recording of relevant images
among the buffered images corresponding to an interval of time starting before
the detection of the suspect item (S) and ending after said detection, and
wherein the relevant images and the data corresponding to the suspect item (S)
detected during the detection step are automatically matched and sent together
to an operator in a single output.
【選択図】    Figure 5
【図１】
2012014694.tif 000008
【図２】
2012014694.tif 000009
【図３】
2012014694.tif 000010
【図４】
2012014694.tif 000011
【図５】
2012014694.tif 000012